(57)【要約】【課題】目地間隙に弾性材が充填されている床仕上パネル設置構造において、弾性材が取れることを長期にわたって確実に防止できるようにすることを目的とする。【解決手段】躯体床面１上に施工される床仕上パネル２は、下地板３と、該下地板３上に貼り付けられた石質板４と、石質板４の隣接２辺の側面から下地板３の側面３ｆにかけて接着により取り付けられた弾性材５とを備えている。床仕上パネル２，２の雄実３ａと雌実３ｂとを係合させつつ、下地板３，３同士を突き合わせる。【選択図】図１
2010121322.tif 000002
【特許請求の範囲】
【請求項１】
石質板を下地板に取り付けてなる床仕上パネルにおいて、
該石質板の側面から下地板の側面にかけて弾性材が設けられていることを特徴とする床仕上パネル。
【請求項２】
請求項１において、該下地板は方形であり、その隣接２辺の側面の上下方向の途中又は下部から雄実が突設されており、
前記弾性材は該雄実よりも上側に設けられており、
該下地板の残りの２辺の側面には雌実が設けられていることを特徴とする床仕上パネル。
【請求項３】
請求項２において、該下地板の雄実を有する側面のうち該雄実よりも上側は、前記石質板の側面よりも板央側に後退し、該石質板の下側に溝Ａが形成されていることを特徴とする床仕上パネル。
【請求項４】
請求項２又は３において、該下地板の雌実を有する側面のうち該雌実よりも上側は、前記石質板の側面よりも板央側に後退し、該石質板の下側に溝Ｂが形成されていることを特徴とする床仕上パネル。
【請求項５】
請求項２ないし４のいずれか１項において、前記石質板のすべての側面は下向きの傾斜面となっていることを特徴とする床仕上パネル。
【請求項６】
請求項２ないし４のいずれか１項において、該雄実を設けた辺に臨む石質板側面は上向きの傾斜面となっており、雌実を設けた辺に臨む石質板側面は下向きの傾斜面となっていることを特徴とする床仕上パネル。
【請求項７】
請求項２において、前記雄実よりも上側の下地板及び石質板の側面は上向き傾斜面となっており、
前記雌実よりも上側の下地板及び石質板の側面は下向き傾斜面となっていることを特徴とする床仕上パネル。
【請求項８】
請求項１ないし７のいずれか１項に記載の床仕上パネルを複数枚突き合わせるように躯体床面に設置し、該床仕上パネル同士の間で前記弾性材を挟圧してなる床仕上パネル設置構造。
【発明の詳細な説明】
【技術分野】
【０００１】
本発明は、タイル、石板等の石質板を下地板に取り付けてなる床仕上パネルと、この床仕上パネルを躯体床面上に設置した床仕上パネル設置構造に係り、特に側面に弾性材を設けた床仕上パネルと、その設置構造に関する。
【背景技術】
【０００２】
タイル、天然石板、人工石板などの石質板を下地板に接着剤等によって取り付けた床仕上パネルが特開平３−２７５３４３に記載されている。なお、同号公報ではこの床仕上パネルを石質複合板と称している。
【０００３】
この特開平３−２７５３４３では、下地板同士を突き合わせると石質板同士の間に空の目地間隙が生じるので、下地板が見えてしまい、美観に劣る。また、目地間隙にゴミが溜り易い。
【０００４】
特開平１−１７８６５９には、合板などよりなる基材の上面にＷＰＣ化木材よりなる表面材を貼着した床材において、基材の側面に弾性シーリング材を貼着した床材が記載されている。
【０００５】
この特開平１−１７８６５９では、目地間隙が弾性シーリング材で埋まるので、下地板が見えない。
【特許文献１】特開平３−２７５３４３
【特許文献２】特開平１−１７８６５９
【発明の開示】
【発明が解決しようとする課題】
【０００６】
上記特開平１−１７８６５９では、弾性シーリング材が基材の側面にのみ貼着されており、表面材同士の間では挟圧されないので、シーリング材の弾性が経年的に低下してきたときには、シーリング材が目地間隙から取れるおそれがある。
【０００７】
本発明は、上記従来の問題点を解消し、目地間隙に弾性材が充填されている床仕上パネル設置構造において、弾性材が取れることを長期にわたって確実に防止できると共に、目地部、下地板のジョイント部について、止水効果が期待できるようにすることを目的とする。
【課題を解決するための手段】
【０００８】
請求項１の床仕上パネルは、石質板を下地板に取り付けてなる床仕上パネルにおいて、該石質板の側面から下地板の側面にかけて弾性材が設けられていることを特徴とするものである。
【０００９】
請求項２の床仕上パネルは、請求項１において、該下地板は方形であり、その隣接２辺の側面の上下方向の途中又は下部から雄実が突設されており、前記弾性材は該雄実よりも上側に設けられており、該下地板の残りの２辺の側面には雌実が設けられていることを特徴とするものである。
【００１０】
請求項３の床仕上パネルは、請求項２において、該下地板の雄実を有する側面のうち該雄実よりも上側は、前記石質板の側面よりも板央側に後退し、該石質板の下側に溝Ａが形成されていることを特徴とするものである。
【００１１】
請求項４の床仕上パネルは、請求項２又は３において、該下地板の雌実を有する側面のうち該雌実よりも上側は、前記石質板の側面よりも板央側に後退し、該石質板の下側に溝Ｂが形成されていることを特徴とするものである。
【００１２】
請求項５の床仕上パネルは、請求項２ないし４のいずれか１項において、前記石質板のすべての側面は下向きの傾斜面となっていることを特徴とするものである。
【００１３】
請求項６の床仕上パネルは、請求項２ないし４のいずれか１項において、該雄実を設けた辺に臨む石質板側面は上向きの傾斜面となっており、雌実を設けた辺に臨む石質板側面は下向きの傾斜面となっていることを特徴とするものである。
【００１４】
請求項７の床仕上パネルは、請求項２において、前記雄実よりも上側の下地板及び石質板の側面は上向き傾斜面となっており、前記雌実よりも上側の下地板及び石質板の側面は下向き傾斜面となっていることを特徴とするものである。
【００１５】
請求項８の床仕上パネル設置構造は、請求項１ないし７のいずれか１項に記載の床仕上パネルを複数枚突き合わせるように躯体床面に設置し、該床仕上パネル同士の間で前記弾性材を挟圧してなるものである。
【発明の効果】
【００１６】
本発明の床仕上パネル及びその設置構造にあっては、弾性材が石質板の側面から下地板の側面にかけて設けられているので、この床仕上パネルを躯体床面上に配設した場合、弾性材が下地板及び石質板の側面同士の間で挟圧されるため、弾性材が長期にわたってしっかりと床仕上パネル間に保持される。また、止水効果も期待できる。特に、下地板を合板とした場合、側面の粗度が高く、摩擦係数が大きいので、弾性材が取れることが防止される。
【００１７】
請求項２の床仕上パネルによると、弾性材を雄実の上側に設けるので、弾性材の側面への取り付け時の位置決めが容易である。
【００１８】
請求項３，４の床仕上パネルによると、弾性材の一部が溝に入り込むことにより、弾性材が極めて取れにくいものとなる。
【００１９】
なお、溝Ａ，Ｂを空所としておき、床仕上パネル同士を突き合わせることにより弾性材が溝Ａ，Ｂに入り込むように構成した場合には、溝Ａ，Ｂに食い込むようにして弾性材が圧縮変形するので、弾性材を押し縮めるようにして床仕上パネルを突き合わせるための力が小さくて済み、床仕上パネルの施工効率が高いものとなる。
【００２０】
請求項５，６によれば、下向きの傾斜面となっている石質板側面によって弾性材が押圧されるので、弾性材が取れることが防止される。また、弾性材が下方に向って圧縮されるため、弾性材が目地間隙から上方へはみ出すことが防止される。
【００２１】
請求項７の構造によると、仮に弾性材と下地板及び石質板の側面との間に隙間が生じても、この隙間は、上方から見えにくく、目立たない。
【発明を実施するための最良の形態】
【００２２】
以下、図面を参照して実施の形態について説明する。
【００２３】
第１図は実施の形態に係る床パネル設置構造を示す断面図であり、（ａ）は施工途中図、（ｂ）は施工後の断面図である。第２図〜第４図はそれぞれ別の実施の形態を示す断面図である。
【００２４】
第１図（ａ）の通り、躯体床面１上に施工される床仕上パネル２は、下地板３と、該下地板３上に貼り付けられた石質板４と、石質板４の隣接２辺の側面から下地板３の側面の上部にかけて接着により取り付けられた弾性材５とを備えている。
【００２５】
躯体床面１は、合板、コンクリートなどよりなる。
【００２６】
下地板３としては、合板、珪酸カルシウム板、スラグ石膏板、スレートボード、木質系繊維板、パーティクルボードなどよりなるものが用いられる。下地板３の厚さは５〜１５ｍｍ程度が好適である。
【００２７】
この実施の形態では、下地板３の隣接する２辺に雄実３ａが設けられ、残りの２辺に雌実３ｂが設けられている。雄実３ａ及び雌実３ｂは、下地板３の厚み方向の途中部分に設けられているが、下部に設けられてもよい。なお、実部は図示以外の形状であってもよい。
【００２８】
石質板４としては、陶磁器製タイルや、天然石又は人工石よりなる石板が好適である。石質板４の厚さは３〜１０ｍｍ程度が好適である。
【００２９】
なお、石質板４としてタイルを用いる場合、下地板３とタイルの寸法の一例を挙げると、次の通りである。
（１）  ３００×３００ｍｍの下地板に約３００×３００ｍｍのタイルを張る。
（２）  ３００×６００ｍｍの下地板に約３００×３００ｍｍのタイルを２枚又は約３００×６００ｍｍのタイルを１枚張る。
（３）  ３００×１８００ｍｍの下地板に約３００×３００ｍｍのタイルを６枚又は約３００×６００ｍｍのタイルを３枚張る。
【００３０】
ただし、上記（１）〜（３）の寸法はあくまでも一例であり、本発明を何ら限定するものではない。
【００３１】
弾性材５としては、発泡ゴム（例えば発泡ＥＰＤＭ、発泡ＮＲ、発泡ＣＲ、発泡ＮＢＲ、発泡シリコーンゴム）、発泡合成樹脂（例えば発泡ポリエチレン、発泡ポリウレタン、発泡ポリ塩化ビニル）などが好適である。
【００３２】
弾性材５は、下地板３の雄実３ａよりも上側に、床仕上パネル２の辺の全長にわたって設けられている。弾性材５は、石質板４の上面から下方へ所定距離だけ離隔するように設け、床仕上パネル２，２を突き合わせて施工したときに弾性材５が目地間隙から上方へはみ出すことを防止するのが好ましい。
【００３３】
弾性材５の目地幅方向の厚さは、施工完了時における目地間隙寸法の平均値の１．２〜３倍特に１．３〜２倍であることが好ましい。
【００３４】
各床仕上パネル２を躯体床面１上に施工するには、躯体床面１上に複数枚の床仕上パネル２を各々の下地板３，３間に間隙があくように載置する。
【００３５】
次いで、床仕上パネル２を押して移動させ、床仕上パネル２，２の雄実３ａと雌実３ｂとを係合させつつ、下地板３，３同士を突き合わせる。
【００３６】
第１図（ｂ）の通り、下地板３，３同士が当接した後、床仕上パネル２を釘などによって躯体床面１に固定する。
【００３７】
なお、予め躯体床面１又は下地板３の下面に接着剤を塗着しておき、床仕上パネル２を接着剤によって躯体床面１に固着させるようにしてもよい。この接着剤張りの場合も、釘留めによる仮留めを併用してもよい。
【００３８】
床仕上パネル２，２同士を突き合わせた状態では、それらの間の目地間隙に弾性材５が挟圧された状態で配置されており、下地板３は視認されず、美観が良い。また、目地間隙にゴミ等が溜ることも防止される。さらに、目地部、下地板のジョイント部について、止水効果が期待できる。
【００３９】
特に、この実施の形態では、弾性材５が石質板４，４間だけでなく、下地板３の雄実３ａよりも上側の側面３ｆと、雌実３ｂよりも上側の側面３ｇとの間で挟圧されているので、弾性材５が取れにくい。また、弾性材５を雄実３ａの上面に沿うように設けるので、下地板３及び石質板４の側面に弾性材５を接着するときの位置決めが容易である。
【００４０】
第２図の実施の形態では、床仕上パネル２Ａ，２Ａの下地板３Ａ，３Ａに溝Ａ，Ｂを設けている。溝Ａは、雄実３ａよりも上側の側面を石質板４の辺縁よりも好ましくは２〜５ｍｍ程度板央側に後退させることにより設けてある。溝Ｂは、雌実３ｂよりも上側の側面を石質板４の辺縁よりも好ましくは２〜５ｍｍ程度板央側に後退させることにより設けてある。第２図のその他の構成は第１図と同一であり、同一符号は同一部分を示している。
【００４１】
この第２図の実施の形態でも第１図と同様の効果が奏されると共に、さらに次の効果が奏される。
【００４２】
即ち、この実施の形態にあっては、床仕上パネル２，２同士を突き合わせたときに、弾性材５の一部が溝Ａ，Ｂに入り込む。そのため、弾性材５が目地から取れにくいものとなり、さらに上面への変形を軽減できる。また、床仕上パネル２，２同士を突き合わせる場合、弾性材５を小さい押圧力にて圧縮変形させることができ、床仕上パネル２，２同士を突き合わせることが容易となり、床仕上パネル２の施工効率が向上する。
【００４３】
第３図の実施の形態では、床仕上パネル２Ｂの石質板４Ｂの４側面４ｂは、下向きの傾斜面となっている。この傾斜角度（仰角）θは４５〜８５°特に５５〜７５°程度が好ましい。この実施の形態では、石質板側面４ｂの下縁は、下地板３の上縁よりも板央側に後退しているが、下地板上縁に合致していてもよく、若干突出していてもよい。第３図のその他の構成は第１図と同一であり、同一符号は同一部分を示している。
【００４４】
この実施の形態でも、第１図と同様の効果が奏されると共に、さらに次の効果が奏される。
【００４５】
即ち、この実施の形態にあっては、石質板４Ｂの側面４ｂが下向きの傾斜面となっているので、弾性材５が該側面４ｂによって下方に向って圧縮される。そのため、弾性材５が目地間隙から上方へ抜け出すことが確実に防止される。
【００４６】
第４図の実施の形態では、床仕上パネル２Ｃの下地板３Ｃの雄実３ａよりも上側の側面３ｃと、その上側の石質板４Ｃの側面４ｃとは、連続した上向きの傾斜面となっている。なお、側面３ｃは側面４ｃよりも若干、板央側に後退したり、逆に若干突出していてもよい。
【００４７】
また、下地板３Ｃの雌実３ｂよりも上側の側面３ｄ及びその上側の石質板４Ｃの側面４ｄは、連続した下向きの傾斜面となっている。なお、側面３ｄは側面４ｄよりも若干板央側に後退したり、逆に若干突出していてもよい。
【００４８】
これらの傾斜面の傾斜角度（仰角）は４５〜８５°特に５５〜７５°程度が好適である。弾性材６は側面３ｃ，４ｃに接着剤によって取り付けられている。弾性材６の材料は弾性材５と同様である。
【００４９】
側面３ｃ，４ｃと側面３ｄ，４ｄとは平行であることが好ましいが、上側ほど目地幅が小さくなるように構成されてもよい。
【００５０】
第４図のその他の符号は第１図と同一部分を示している。
【００５１】
この実施の形態でも、第１図と同様の効果が奏されると共に、さらに次の効果が奏される。
【００５２】
即ち、この実施の形態では、弾性材６をはさんで一方の側面３ｃ，４ｃが上向き傾斜面であり、他方の側面３ｄ，４ｄが下向き傾斜面であるので、仮に弾性材６と側面３ｃ，４ｃ又は側面３ｄ，４ｄ間に切れが生じても、隙間は目立たない。
【００５３】
第４図では下地板３Ｃの側面３ｃ，３ｄを傾斜面としているが、鉛直面とされてもよく、石質板側面４ｃ，４ｄとは異なる傾斜角の傾斜面としてもよい。
【００５４】
上記実施の形態はいずれも本発明の一例であり、本発明は図示以外の形態とされてもよい。
【図面の簡単な説明】
【００５５】
【図１】実施の形態に係る床仕上パネル及びその設置構造を示す断面図である。
【図２】実施の形態に係る床仕上パネル及びその設置構造を示す断面図である。
【図３】実施の形態に係る床仕上パネル及びその設置構造を示す断面図である。
【図４】実施の形態に係る床仕上パネル及びその設置構造を示す断面図である。
【符号の説明】
【００５６】
１  躯体床面
２，２Ａ，２Ｂ，２Ｃ  床仕上パネル
３，３Ａ，３Ｃ  下地板
４，４Ｂ，４Ｃ  石質板
５，６  弾性材
【図１】
2010121322.tif 000003
【図２】
2010121322.tif 000004
【図３】
2010121322.tif 000005
【図４】
2010121322.tif 000006